(57)【要約】      （修正有）【課題】セキュリティを担保でき、かつ利便性の高い無人商品引渡システム及び無人商品引渡方法を提供することを目的とする。【解決手段】無人商品引渡しシステムは、商品の情報が記憶される第１記憶部と、ユーザ端末からの商品の購入決済を受付ける決済受付部と、購入決済完了後に購入決済した際の前記ユーザ端末の現在位置を含む決済完了情報を通知する決済完了通知部とを有するサーバ１と、固有の識別子が記憶される第２記憶部と、サーバの第１記憶部に記憶された商品の購入決済操作を受付ける操作受付部と、サーバが通知する決済完了情報が記憶される第３記憶部と、ユーザ端末の現在位置を出力する位置情報出力部とを有するユーザ端末２と、サーバの第１記憶部に記憶されている商品の情報に対応する商品が収容される商品収容部と、サーバが発行する決済完了情報が記憶される第４記憶部とを有する商品収容装置３と、を備える。【選択図】図１
2018013996.tif 000002
【特許請求の範囲】
【請求項１】
ユーザ端末からサーバにアクセスして商品の購入決済を行い、該購入決済後に、商品が収容された商品収容装置から決済した商品の引渡しを受ける無人商品引渡システムであって、
前記サーバは、
前記商品の情報が記憶される第１記憶部と、前記ユーザ端末からの前記商品の購入決済を受付ける決済受付部と、購入決済完了後に前記購入決済した際の前記ユーザ端末の現在位置を含む決済完了情報を通知する決済完了通知部とを有し、
前記ユーザ端末は、
固有の識別子が記憶される第２記憶部と、前記サーバの第１記憶部に記憶された商品の購入決済操作を受付ける操作受付部と、前記サーバが通知する決済完了情報が記憶される第３記憶部と、ユーザ端末の現在位置を出力する位置情報出力部とを有し、
前記商品収容装置は、
前記サーバの第１記憶部に記憶されている商品の情報に対応する商品が収容される商品収容部と、前記サーバが発行する決済完了情報が記憶される第４記憶部と、前記ユーザ端末から決済完了情報を取得し、該取得した前記ユーザ端末の決済完了情報が、前記第４記憶部に記憶される決済完了情報と一致するか否かを判定する第１判定部と、一致すると判定される場合に前記決済完了情報に対応する商品を引渡す商品引渡部とを有する
ことを特徴とする無人商品引渡システム。
【請求項２】
ユーザ端末からサーバにアクセスして商品の購入決済を行い、該購入決済後に、商品が収容された商品収容装置から決済した商品の引渡しを受ける無人商品引渡システムであって、
前記サーバは、
前記商品の情報が記憶される第１記憶部と、前記ユーザ端末からの前記商品の購入決済を受付ける決済受付部と、購入決済完了後に前記購入決済した際の前記ユーザ端末の現在位置を含む決済完了情報を通知する決済完了通知部と、前記ユーザ端末から決済完了情報を取得し、該取得した前記ユーザ端末の決済完了情報が、前記第４記憶部に記憶される決済完了情報と一致するか否かを判定する第１判定部と、一致すると判定される場合に前記決済完了情報に対応する商品を引渡す商品引渡部とを有し、
前記ユーザ端末は、
固有の識別子が記憶される第２記憶部と、前記サーバの第１記憶部に記憶された商品の購入決済操作を受付ける操作受付部と、前記サーバが通知する決済完了情報が記憶される第３記憶部と、ユーザ端末の現在位置を出力する位置情報出力部とを有し、
前記商品収容装置は、
前記サーバの第１記憶部に記憶されている商品の情報に対応する商品が収容される商品収容部を有することを特徴とする無人商品引渡システム。
【請求項３】
前記サーバは、
購入決済を行った際のユーザ端末の位置情報が所定の範囲内であるかを判定する第２判定部を有し、
前記決済受付部は、購入決済を行った際のユーザ端末の位置情報が所定の範囲内であると判定される場合に、前記商品の購入決済を受付けることを特徴とする請求項１又は請求項２に記載の無人商品引渡システム。
【請求項４】
前記ユーザ端末は、購入決済を行った際のユーザ端末の時刻を出力する時刻出力部を有し、
前記サーバの決済完了通知部が発行する前記決済完了情報には、購入決済を行った際のユーザ端末の時刻情報が含まれることを特徴とする請求項１乃至請求項３のいずれかに記載の無人商品引渡システム。
【請求項５】
前記サーバは、
前記ユーザ端末から送信されるデータに基づいて、ユーザの年齢を判定する第３判定部を有し、
前記決済受付部は、前記ユーザの年齢が所定の年齢に達している場合に、前記商品のうち特定の商品の購入決済を受付けることを特徴とする請求項１乃至請求項４のいずれかに記載の無人商品引渡システム。
【請求項６】
前記商品収容装置は、所定の室内に設置され、前記室内への入室には、ユーザ端末の識別子、指紋、静脈及び顔の少なくとも１以上の認証が必要であることを特徴とする請求項１乃至請求項５のいずれかに記載の無人商品引渡システム。
【請求項７】
前記商品収容装置の商品収容部は、商品を個別に収容し、電気錠により施錠及び開錠が可能な複数の収容エリアを有し、
前記商品引渡部は、
前記ユーザ端末の前記決済完了情報が一致すると判定される場合に前記決済完了情報に対応する商品が収容された収容エリアの電気錠を開錠することでユーザに商品を引渡すことを特徴とする請求項１乃至請求項６のいずれかに記載の無人商品引渡システム。
【請求項８】
ユーザ端末からサーバにアクセスして商品の購入決済を行い、該購入決済後に、商品が収容された商品収容装置から決済した商品の引渡しを受ける無人商品引渡方法であって、
前記ユーザ端末が、サーバの第１記憶部に記憶された商品の購入決済操作を受付ける工程と、
前記サーバが、決済完了後に前記購入決済した際の前記ユーザ端末の現在位置を含む決済完了情報を通知する工程と、
前記ユーザ端末及び前記商品収容装置が、前記サーバが通知する決済完了情報を記憶する工程と、
前記商品収容装置が、前記ユーザ端末から決済完了情報を取得する工程と、
前記商品収容装置が、該取得した前記ユーザ端末の決済完了情報が、記憶されている決済完了情報と一致するか否かを判定する工程と、
一致すると判定される場合に、前記商品収容装置が、前記決済完了情報に対応する商品を引渡す工程と
を有することを特徴とする無人商品引渡方法。
【発明の詳細な説明】
【技術分野】
【０００１】
本発明は、購入した商品の引渡しを行うための無人商品引渡システム及び無人商品引渡方法に関し、特に、特定のスペース（例えば、マンションの共用スペース）において購入決済した商品の引渡しを行うための無人商品引渡システム及び無人商品引渡方法に関する。
【背景技術】
【０００２】
例えば、従来からある無人商品引渡システムとして自動販売機がある。自動販売機では、ユーザが購入したい商品を選択して、該商品の料金を支払うことで購入が可能となっている。また、無人で商品の販売や引渡しを行う場合、盗難や破損などセキュリティが問題となることから盗難等を防止するための種々の提案がなされている。
【０００３】
例えば、特許文献１では、自動販売機に、前面扉のわずかな開きにも反応して検出信号を出力する検出器を設け、誤検出を防止するために、断続的な検出信号の回数や、継続的な検出信号の出力時間が予め設定されている値を越えた場合のみ、盗難と認識して警告処理を実行することが提案されている。
【０００４】
また、特許文献２では、無人販売の店舗等における画像による監視装置で、監視する人がいなくても万引等の疑わしい行為があった場合に自動で警告を発して万引を抑制するシステムが提案されている。該提案では、店舗に広角カメラを設置し、画像解析装置によって画像の中から人物を検出して、動き方向、設定された領域への出入、置き去り・持ち去りの検知を行い、買物客の行動（店への出入、商品をカゴに入れる、代金を支払う等）を監視している。
【先行技術文献】
【特許文献】
【０００５】
【特許文献１】特開平０８−０１６９３５号公報
【特許文献２】実用新案登録第３１６８０４９号公報
【発明の概要】
【発明が解決しようとする課題】
【０００６】
しかしながら、従来の無人商品引渡システムでは、セキュリティの担保や利便性の点において十分とはいえないものであった。また、年齢制限がある商品の販売や引渡しに関しても、成りすまし等による商品の購入や引渡しを防止するには十分とはいえないものであった。
【０００７】
本発明は、上記課題を鑑みてなされたものであり、セキュリティを担保でき、かつ利便性の高い無人商品引渡システム及び無人商品引渡方法を提供することを目的とする。
【課題を解決するための手段】
【０００８】
上記の課題を解決すべく、本発明に係る無人商品引渡システムは、ユーザ端末からサーバにアクセスして商品の購入決済を行い、該購入決済後に、商品が収容された商品収容装置から決済した商品の引渡しを受ける無人商品引渡システムであって、前記サーバは、前記商品の情報が記憶される第１記憶部と、前記ユーザ端末からの前記商品の購入決済を受付ける決済受付部と、購入決済完了後に前記購入決済した際の前記ユーザ端末の現在位置を含む決済完了情報を通知する決済完了通知部とを有し、前記ユーザ端末は、固有の識別子が記憶される第２記憶部と、前記サーバの第１記憶部に記憶された商品の購入決済操作を受付ける操作受付部と、前記サーバが通知する決済完了情報が記憶される第３記憶部と、ユーザ端末の現在位置を出力する位置情報出力部とを有し、前記商品収容装置は、前記サーバの第１記憶部に記憶されている商品の情報に対応する商品が収容される商品収容部と、前記サーバが発行する決済完了情報が記憶される第４記憶部と、前記ユーザ端末から決済完了情報を取得し、該取得した前記ユーザ端末の決済完了情報が、前記第４記憶部に記憶される決済完了情報と一致するか否かを判定する第１判定部と、一致すると判定される場合に前記決済完了情報に対応する商品を引渡す商品引渡部とを有することを特徴とする。
【０００９】
また、上記の課題を解決すべく、本発明に係る無人商品引渡システムは、ユーザ端末からサーバにアクセスして商品の購入決済を行い、該購入決済後に、商品が収容された商品収容装置から決済した商品の引渡しを受ける無人商品引渡システムであって、前記サーバは、前記商品の情報が記憶される第１記憶部と、前記ユーザ端末からの前記商品の購入決済を受付ける決済受付部と、購入決済完了後に前記購入決済した際の前記ユーザ端末の現在位置を含む決済完了情報を通知する決済完了通知部と、前記ユーザ端末から決済完了情報を取得し、該取得した前記ユーザ端末の決済完了情報が、前記第４記憶部に記憶される決済完了情報と一致するか否かを判定する第１判定部と、一致すると判定される場合に前記決済完了情報に対応する商品を引渡す商品引渡部とを有し、前記ユーザ端末は、固有の識別子が記憶される第２記憶部と、前記サーバの第１記憶部に記憶された商品の購入決済操作を受付ける操作受付部と、前記サーバが通知する決済完了情報が記憶される第３記憶部と、ユーザ端末の現在位置を出力する位置情報出力部とを有し、前記商品収容装置は、前記サーバの第１記憶部に記憶されている商品の情報に対応する商品が収容される商品収容部を有することを特徴とする。
【００１０】
上記構成によれば、事前（商品の引渡し前）に商品購入の決済を行い、商品購入を行ったユーザ端末の決済完了情報の認証を行い、認証がとれた場合に商品の引渡しを行うので成りすまし（偽装）等を防止してセキュリティ性を担保することができる。また、決済完了情報に購入決済を行った際のユーザ端末の位置情報が含まれているので、成りすまし等を効果的に防止することができ、高いセキュリティ性を担保することができる。さらに、サーバに記憶されている商品から好みの商品を選んで購入することができるのでユーザの利便性が高い。
【００１１】
また、本発明に係る無人商品引渡システムの前記サーバは、購入決済を行った際のユーザ端末の位置情報が所定の範囲内であるかを判定する第２判定部を有し、前記決済受付部は、購入決済を行った際のユーザ端末の位置情報が所定の範囲内であると判定される場合に、前記商品の購入決済を受付けることを特徴とする。
【００１２】
上記構成によれば、購入決済を行った際のユーザ端末の位置情報が所定の範囲内であると判定される場合に商品の購入決済を受付ける。このため、例えば、ユーザが、商品収容装置が設置されているマンションの所定の室内で購入決済した場合にのみ商品の引渡しを行うなど、柔軟性の高い運用を行うことができる。
【００１３】
また、本発明に係る無人商品引渡システムは、前記ユーザ端末が、購入決済を行った際のユーザ端末の時刻を出力する時刻出力部を有し、前記サーバの決済完了通知部が発行する前記決済完了情報には、購入決済を行った際のユーザ端末の時刻情報が含まれることを特徴とする。
【００１４】
上記構成によれば、決済を行った際の位置を確認できるので、成りすまし等による商品の引渡しを防止してより高いセキュリティ性を担保することができる。
【００１５】
また、本発明に係る無人商品引渡システムの前記サーバは、前記ユーザ端末から送信されるデータに基づいて、ユーザの年齢を判定する第３判定部を有し、前記決済受付部は、前記ユーザの年齢が所定の年齢に達している場合に、前記商品のうち特定の商品の購入決済を受付けることを特徴とする。
【００１６】
上記構成によれば、ユーザの年齢が所定の年齢に達している場合に、特定の商品の購入決済を受付けるので、タバコや酒等の年齢制限のある商品を未成年者が購入することを抑制することができセキュリティ性を高めることができる。また、購入決済を行った際のユーザ端末の位置情報と合わせて使用することで、セキュリティ性をさらに高めることができる。
【００１７】
また、本発明に係る無人商品引渡システムの前記商品収容装置は、所定の室内に設置され、前記室内への入室には、ユーザ端末の識別子、指紋、静脈及び顔の少なくとも１以上の認証が必要であることを特徴とする。
【００１８】
上記構成によれば、商品収容装置を所定の室内に設置し、室内への入室にユーザ端末の識別子、指紋、静脈及び顔の少なくとも１以上の認証を必要とするので、タバコや酒等の年齢制限のある商品を未成年者が購入することをより効果的に抑制することができセキュリティ性を高めることができる。また、購入決済を行った際のユーザ端末の位置情報と合わせて使用することで、セキュリティ性をさらに高めることができる。
【００１９】
また、本発明に係る無人商品引渡システムの前記商品収容装置の商品収容部は、商品を個別に収容し、電気錠により施錠及び開錠が可能な複数の収容エリアを有し、前記商品引渡部は、前記ユーザ端末の前記決済完了情報が一致すると判定される場合に前記決済完了情報に対応する商品が収容された収容エリアの電気錠を開錠することでユーザに商品を引渡すことを特徴とする。
【００２０】
上記構成によれば、ユーザ端末の決済完了通知が一致すると判定される場合に決済完了情報に対応する商品が収容された収容エリアの電気錠を開錠することでユーザに商品を引渡すので、商品の購入決済を行っていない他人に商品を引き渡すことを防止できる。また、個別に商品が収容されているので購入決済した商品以外の商品が持ち出されることを防止することができる。このため、高いセキュリティ性を担保することができる。また、電気錠により開錠を行うのでユーザの利便性も高い。
【００２１】
上記の課題を解決すべく、本発明に係る無人商品引渡方法は、ユーザ端末からサーバにアクセスして商品の購入決済を行い、該購入決済後に、商品が収容された商品収容装置から決済した商品の引渡しを受ける無人商品引渡方法であって、前記ユーザ端末が、サーバの第１記憶部に記憶された商品の購入決済操作を受付ける工程と、前記サーバが、決済完了後に前記購入決済した際の前記ユーザ端末の現在位置を含む決済完了情報を通知する工程と、前記ユーザ端末及び前記商品収容装置が、前記サーバが通知する決済完了情報を記憶する工程と、前記商品収容装置が、前記ユーザ端末から決済完了情報を取得する工程と、前記商品収容装置が、該取得した前記ユーザ端末の決済完了情報が、記憶されている決済完了情報と一致するか否かを判定する工程と、一致すると判定される場合に、前記商品収容装置が、前記決済完了情報に対応する商品を引渡す工程とを有することを特徴とする。
【発明の効果】
【００２２】
本発明によれば、セキュリティを担保でき、かつ利便性の高い無人商品引渡システム及び無人商品引渡方法を提供することができる。
【図面の簡単な説明】
【００２３】
【図１】第１の実施形態に係る無人商品引渡システムの構成図である。
【図２】第１の実施形態に係るサーバの構成図である。
【図３】第１の実施形態に係るユーザ端末の構成図である。
【図４】第１の実施形態に係る商品収容装置の構成図である。
【図５】第１の実施形態に係るユーザ端末の動作を示すフローチャートである。
【図６】第１の実施形態に係るサーバの動作を示すフローチャートである。
【図７】第１の実施形態に係る商品収容装置の動作を示すフローチャートである。
【図８】第２の実施形態に係るサーバの構成図である。
【図９】第２の実施形態に係るサーバの動作を示すフローチャートである。
【図１０】第３の実施形態に係るサーバの構成図である。
【図１１】第４の実施形態に係る商品収容装置の構成図である。
【発明を実施するための形態】
【００２４】
（第１の実施形態）
図１は、第１の実施形態に係る無人商品引渡システムの構成図である。図２は、第１の実施形態に係るサーバの構成図である。図３は、第１の実施形態に係るユーザ端末の構成図である。図４は、第１の実施形態に係る商品収容装置の構成図である。以下、図１〜図４を参照して第１の実施形態に係る無人商品引渡システムの構成について説明するが、各構成の詳細な動作は、図５〜図７を参照して後述する。
【００２５】
（第１の実施形態に係る無人商品引渡システムの動作）
図１に示すように、第１の実施形態に係る無人商品引渡システムは、サーバ１と、複数のユーザ端末２と、商品収容装置３とを備える。サーバ１、複数のユーザ端末２及び商品収容装置３は、ＬＡＮ（Local Area Network）やＷＡＮ（Wide Area Network）等のネットワーク４により接続されている。なお、ネットワーク４は、無線、有線を問わず、公衆回線を利用するものであってもよい。また、商品の購入決済には、クレジットカードや電子マネーを用いることができる。また、本実施形態で決済できる商品として、例えば、お酒やソフトドリンク、エナジードリンク等の飲料、タバコ、菓子、果物等の食料品や、玩具、自転車のレンタル等、種々の態様が考えられる。
【００２６】
図２に示すようにサーバ１は、送受信部１０１と、第１記憶部１０２と、決済受付部１０３と、決済完了通知部１０４と、制御部１０７とを有する。図２に示すサーバ１の機能は、ＨＤＤ（Hard Disk Drive）等の記憶装置に記憶されているプログラムをＣＰＵ（Central Processing Unit）等のプロセッサが読み込んで実行することにより実現される。
【００２７】
送受信部１０１は、ネットワーク４を介してデータを送受信する。第１記憶部１０２は、商品収容装置３に収容されている商品の情報、例えば、価格、残数量、商品説明及び画像等、購入に必要となる情報が記憶されている。決済受付部１０３は、ユーザがユーザ端末２を操作して選択した商品の購入決済操作を受付ける。
【００２８】
商品の購入決済操作を受付ける際に、決済受付部１０３は、ユーザ端末２から識別子を取得する。決済完了通知部１０４は、商品購入の決済が完了すると決済完了情報（例えば、決済情報をバーコード化やＱＲコード（登録商標）化したデータ）を、送受信部１０１を介してユーザ端末２及び商品収容装置３へ送信する。決済完了情報には、商品の購入決済を行ったユーザ端末２の識別子、決済した商品の識別子、個数等の情報のほか、購入決済した際の現在位置（位置情報）及び現在時刻が含まれる。なお、決済完了情報をバーコードやＱＲコード（登録商標）以外のデータとしてもよい。
【００２９】
図３に示すようにユーザ端末２は、送受信部２０１と、第２記憶部２０２と、操作受付部２０３と、第３記憶部２０４と、表示部２０５と、位置情報出力部２０６と、タイマ２０７（時刻出力部）と、制御部２０８とを有する。図３に示すユーザ端末１は、例えば、スマートフォンやタブレットＰＣ（Personal Computer）である。図３に示すユーザ端末１の機能は、ＨＤＤ（Hard Disk Drive）等の記憶装置に記憶されているプログラムをＣＰＵ（Central Processing Unit）等のプロセッサが読み込んで実行することにより実現される。
【００３０】
送受信部２０１は、ネットワーク４を介してデータを送受信する。第２記憶部２０２には、該ユーザ端末２の固有の識別子が記憶される。操作受付部２０３は、サーバ１の第１記憶部１０２に記憶された商品の選択及び購入決済の操作を受付ける。第３記憶部２０４は、サーバ１からネットワーク４を介して通知される決済完了情報が記憶される。
【００３１】
表示部２０５は、液晶表示装置等に商品の選択及び購入決済を行うために必要な画面を表示するよう制御する。位置情報出力部２０６は、例えば、ＧＰＳ（Global Positioning System）であり、ユーザ端末２の現在位置を出力する。タイマ２０７は、時計であり現在時刻を出力する。制御部２０８は、ユーザ端末２を制御する。また、ユーザ端末２は、図示していない電源（バッテリ）を備える。
【００３２】
図４に示すように商品収容装置３は、送受信部３０１と、第４記憶部３０２と、第１判定部３０３と、商品引渡部３０４と、制御部３０５と、商品収容部３１と、取得装置３２とを備える。図４に示す商品収容装置３の機能の一部は、ＨＤＤ（Hard Disk Drive）等の記憶装置に記憶されているプログラムをＣＰＵ（Central Processing Unit）等のプロセッサが読み込んで実行することにより実現される。
【００３３】
商品収容部３１は、商品を個別に収容し、電気錠３１Ｂにより施錠及び開錠が可能な複数の収容室３１Ａ（収容エリア）を有する。また、取得装置３２は、ユーザ端末２から決済完了情報を取得する。
【００３４】
送受信部３０１は、ネットワーク４を介してデータを送受信する。第４記憶部３０２には、サーバ１が発行する決済完了情報が記憶される。第１判定部３０３は、ユーザ端末２から取得した決済完了情報が、第４記憶部３０２に記憶される決済完了情報と一致するか否かを判定する。
【００３５】
商品引渡部３０４は、第１判定部３０３において一致すると判定される場合に決済完了情報に含まれる商品が収容された収容室３１Ａ（収容エリア）の電気錠３１Ｂを開錠して商品をユーザへ引き渡す。
【００３６】
（第１の実施形態に係る無人商品引渡システムの動作）
図５は、第１の実施形態に係るユーザ端末の動作を示すフローチャートである。図６は、第１の実施形態に係るサーバの動作を示すフローチャートである。図７は、第１の実施形態に係る商品収容装置の動作を示すフローチャートである。以下、図１〜図７を参照して無人商品引渡システムの動作について説明する。
【００３７】
初めに図５を参照して、ユーザ端末２の動作について説明する。初めに、ユーザは、ユーザ端末２を操作してサーバ１へアクセスする（Ｓ１０１）。すると、サーバ１の第１記憶部１０２に記憶されている商品の情報が表示部２０５に表示される。次に、ユーザは、ユーザ端末２を操作して商品を選択する（Ｓ１０２）。
【００３８】
次に、ユーザは、ユーザ端末２を選択した商品の購入決済操作を行う（Ｓ１０３）。すると、ユーザによる購入決済が操作受付部２０３で受付けられ、送受信部２０１により該操作内容が第２記憶部２０２に記憶されている固有の識別子及びその他、商品の決済に必要な情報が送信される。また、送受信部２０１によりユーザ端末２の位置情報出力部２０６から出力される現在位置（位置情報）及びタイマ２０７（時刻出力部）から出力される現在時刻が送信される（Ｓ１０４）。次に、サーバ１から送られてきた決済完了情報が送受信部２０１により受信され（Ｓ１０５）、第３記憶部２０４に記憶される（Ｓ１０６）。
【００３９】
次に、図６を参照して、サーバ１の動作について説明する。初めに、ユーザがユーザ端末２を操作して選択した商品の購入決済操作、現在位置及び現在時刻を送受信部１０１が受信する（Ｓ２０１）。次に、該商品の購入決済操作が決済受付部１０３により受付けられる（Ｓ２０２）。次に、決済受付部１０３により受付けられた情報に基づいて商品購入の決済が行われる（Ｓ２０３）。決済完了通知部１０４は、商品購入の決済が完了すると決済完了情報を、送受信部１０１を介してユーザ端末２及び商品収容装置３へ送信する（Ｓ２０４）。決済完了情報には、商品の購入決済を行ったユーザ端末２の識別子、決済した商品の識別子、個数等の情報のほか、購入決済した際の現在位置（位置情報）及び現在時刻が含まれる。
【００４０】
次に、図７を参照して、商品収容装置３の動作について説明する。初めに、サーバ１から送信される決済完了情報を送受信部３０１が受信する（Ｓ３０１）。次に、第４記憶部３０２にサーバ１が発行する決済完了情報（例えば、決済情報をバーコード化やＱＲコード（登録商標）化したデータ）が記憶される（Ｓ３０２）。
【００４１】
次に、ユーザが取得装置３２にユーザ端末２をかざすと、第１判定部３０３は、取得装置３２で取得したユーザ端末２の決済完了情報が、第４記憶部３０２に記憶される決済完了情報と一致するか否かを判定する（Ｓ３０３）。次に、商品引渡部３０４は、第１判定部３０３において一致すると判定される場合（Ｓ３０３のＹｅｓ）、決済完了情報に含まれる商品が収容された収容室３１Ａ（収容エリア）の電気錠３１Ｂを開錠して商品をユーザへ引き渡す（Ｓ３０４）。また、商品引渡部３０４は、第１判定部３０３において一致すると判定されない場合（Ｓ３０３のＮｏ）、収容室３１Ａ（収容エリア）の電気錠３１Ｂを開錠しない。
【００４２】
以上のように、第１の実施形態に係る無人商品引渡システムは、ユーザ端末２からサーバ１にアクセスして商品の購入決済を行い、該購入決済後に、商品が収容された商品収容装置３から決済した商品の引渡しを受ける無人商品引渡システムである。サーバ１は、商品の情報が記憶される第１記憶部１０２と、ユーザ端末２からの商品の購入決済を受付ける決済受付部１０３と、購入決済完了後に購入決済した際のユーザ端末２の現在位置を含む決済完了情報を通知する決済完了通知部１０４とを有する。ユーザ端末２は、固有の識別子が記憶される第２記憶部２０２と、サーバ１の第１記憶部１０２に記憶された商品の購入決済操作を受付ける操作受付部２０３と、サーバ１が通知する決済完了情報が記憶される第３記憶部２０４と、ユーザ端末２の現在位置を出力する位置情報出力部２０６とを有する。商品収容装置３は、サーバ１の第１記憶部１０２に記憶されている商品の情報に対応する商品が収容される商品収容部３１と、サーバ１が発行する決済完了情報が記憶される第４記憶部３０２と、ユーザ端末２から決済完了情報を取得し、該取得したユーザ端末２の決済完了情報が、前記第４記憶部３０２に記憶される決済完了情報と一致するか否かを判定する第１判定部３０３と、一致すると判定される場合に前記決済完了情報に対応する商品を引渡す商品引渡部３０４とを有する。
【００４３】
以上のように、本実施形態では、事前（商品の引渡し前）に商品購入の決済を行い、商品購入を行ったユーザ端末の決済完了情報の認証を行い、認証がとれた場合に商品の引渡しを行うので成りすまし（偽装）等を防止してセキュリティ性を担保することができる。また、決済完了情報に購入決済を行った際のユーザ端末の位置情報及び時刻が含まれている、このような予め決まっていない情報を認証に必要な情報に含めることで、成りすまし等を効果的に防止することができ、高いセキュリティ性を担保することができる。さらに、サーバに記憶されている商品から好みの商品を選んで購入することができるのでユーザの利便性が高い。
【００４４】
（第２の実施形態）
この第２の実施形態では、商品の購入決済を行った際のユーザ端末の位置情報が所定の範囲内であるかを判定し、購入決済を行った際のユーザ端末２の位置情報が所定の範囲内であると判定される場合に、商品の購入決済を受付ける実施形態について説明する。
【００４５】
図８は、第２の実施形態に係るサーバの構成図である。以下、図８を参照して第２の実施形態に係る無人商品引渡システムのサーバの構成について説明する。なお、第２の実施形態に係るユーザ端末２及び商品収容装置３の構成は、それぞれ図３及び図４を参照して説明した第１の実施形態に係るユーザ端末２及び商品収容装置３の構成と同じであるため重複する説明を省略する。また、第２の実施形態に係るユーザ端末２及び商品収容装置３の動作は、それぞれ図５及び図７を参照して説明した第１の実施形態に係るユーザ端末２及び商品収容装置３の動作と同じであるため重複する説明を省略する。
【００４６】
（第２の実施形態に係る無人商品引渡システムの構成）
図８に示すようにサーバ１は、送受信部１０１と、第１記憶部１０２と、決済受付部１０３と、決済完了通知部１０４と、制御部１０７とに加え、第２判定部１０５を有する。第２判定部１０５は、購入決済を行った際のユーザ端末２の位置情報から、ユーザ端末２が所定の範囲内（例えば、商品収容装置３が設置されているマンションやアパート内）であるかを判定する。決済受付部１０３は、購入決済を行った際のユーザ端末の位置情報が所定の範囲内であると判定される場合に商品の購入決済を受付ける。
【００４７】
また、決済完了通知部１０４は、商品購入の決済が完了すると決済完了情報を、送受信部１０１を介してユーザ端末２及び商品収容装置３へ送信するが、この第２の実施形態では、決済完了情報に、商品の購入決済を行ったユーザ端末２の識別子、決済した商品の識別子、個数等の情報に加えて、購入決済した際の現在位置（位置情報）及び現在時刻が含まれる。
【００４８】
（第２の実施形態に係る無人商品引渡システムの動作）
図９は、第２の実施形態に係るサーバの動作を示すフローチャートである。以下、図８〜図９を参照して無人商品引渡システムの動作について説明する。初めに、ユーザがユーザ端末２を操作して選択した商品の購入決済操作、現在位置及び現在時刻を送受信部１０１が受信する（Ｓ５０１）。次に、第２判定部１０５は、購入決済を行った際のユーザ端末２の位置情報から、ユーザ端末２が所定の範囲内（例えば、商品収容装置３が設置されているマンションやアパート内）であるかを判定する（Ｓ５０２）。
【００４９】
決済受付部１０３は、購入決済を行った際のユーザ端末の位置情報が所定の範囲内であると判定される場合（Ｓ５０２のＹｅｓ）、商品の購入決済を受付ける（Ｓ５０３）。次に、決済受付部１０３により受付けられた情報に基づいて商品購入の決済が行われる（Ｓ５０４）。決済完了通知部１０４は、商品購入の決済が完了すると決済完了情報を、送受信部１０１を介してユーザ端末２及び商品収容装置３へ送信する（Ｓ５０５）。なお、購入決済を行った際のユーザ端末の位置情報が所定の範囲内でないと判定される場合（Ｓ５０２のＮｏ）、ユーザ端末２の表示部２０５に「現在位置が所定の範囲外のため決済できません。」等のエラーが表示される（Ｓ５０６）。
【００５０】
以上のように、第２の実施形態に係る無人商品引渡システムでは、サーバ１が、購入決済を行った際のユーザ端末２の位置情報が所定の範囲内であるかを判定する第２判定部１０５を有し、決済受付部１０３は、購入決済を行った際のユーザ端末２の位置情報が所定の範囲内であると判定される場合に商品の購入決済を受付けるので、例えば、ユーザが、商品収容装置２が設置されているマンションの所定の室内で購入決済した場合にのみ商品の引渡しを行うなど、柔軟性の高い運用を行うことができる。
【００５１】
また、購入決済を行った位置情報に加えて、購入決済を行った時刻を利用するようにしてもよい。例えば、購入決済を行った際のユーザ端末２の位置情報が所定の範囲内で、かつ、購入決済を行った際の時刻が所定の時刻内の場合に、決済受付部１０３が該購入決済操作を受付けるようにしてもよい。
【００５２】
（第３の実施形態）
この第３の実施形態では、ユーザ端末２から送信されるデータに基づいて、ユーザの年齢を判定し、ユーザの年齢が所定の年齢に達している場合に、商品のうち特定の商品の購入決済を受付ける実施形態について説明する。なお、図１〜図９を参照して説明した構成と同じ構成には同一の符号を付して重複する説明を省略する。
【００５３】
図１０は、第３の実施形態に係るサーバの構成図である。図１０に示すように、第３の実施形態に係るサーバ１は、ユーザ端末２から送信されるデータに基づいて、ユーザの年齢を判定する第３判定部１０６を更に有する。そして、サーバ１の決済受付部１０３は、ユーザの年齢が所定の年齢に達している場合に、第１記憶部１０２に記憶されている商品のうち特定の商品（例えば、購入に年齢制限のある酒類やタバコ）の購入決済を受付ける。
【００５４】
なお、年齢認証に使用するデータとしては、クレジットカードの登録情報や、免許証や保険証の登録情報等が利用できる。また、免許証や保険証の画像をユーザ端末２から送信し、サーバ１において送信された画像から年齢を認証するようにしてもよい。さらに、自身の写真画像をユーザ端末２から送信し、サーバ１において送信された写真画像から年齢を判定するようにしてもよい。
【００５５】
以上のように、第３の実施形態に係る無人商品引渡システムでは、サーバ１は、ユーザ端末２から送信されるデータに基づいて、ユーザ１の年齢を判定する第３判定部１０６を更に有し、決済受付部１０３は、ユーザの年齢が所定の年齢に達している場合に、商品のうち特定の商品の購入決済を受付ける。
【００５６】
すなわち、ユーザの年齢が所定の年齢に達している場合に、特定の商品の購入決済を受付けるので、タバコや酒等の年齢制限のある商品を未成年者が購入することを抑制することができセキュリティ性を高めることができる。また、購入決済を行った際のユーザ端末の位置情報と合わせて使用することで、セキュリティ性をさらに高めることができる。
【００５７】
（第４の実施形態）
この第４の実施形態では、商品収容装置３の商品収容部３１が、例えば、マンションの共用スペース等の特定のスペースＲ（室内）に設置される実施形態について説明する。図１１は、第４の実施形態に係る商品収容装置３が収容される特定のスペースＲ（室内）の構成図である。以下、図１１を参照して第４の実施形態に係る無人商品引渡システムについて説明するが図１〜図１０を参照して説明した構成と同じ構成に同一の符号を付して重複する説明を省略する。
【００５８】
図１１に示すように、本実施形態では、商品収容装置３の商品収容部３１は、例えば、マンションの共用スペース等の特定のスペースＲ（室内）に設置されている。特定のスペースＲには、電気錠３１Ｂを有するドアＤ及び認証装置３３が設けられており、商品収容部３１が設置される特定のスペースＲへは、ユーザ端末２の識別子、指紋、静脈及び顔の少なくとも１以上の認証が必要となっている。なお、認証に必要なユーザ端末２の識別子、指紋、静脈及び顔のデータは、予め認証装置３３に記憶されている。
【００５９】
認証装置３３において、ユーザ端末２の識別子、指紋、静脈及び顔の少なくとも１以上が認証されると、電気錠３１ＢによりドアＤが開錠され、商品収容部３１が設置される特定のスペースＲ内へと入ることができる。
【００６０】
以上のように、第４の実施形態に係る無人商品引渡システムによれば、商品収容装置３の商品収容部３１は、所定の室内に設置され、室内への入室には、ユーザ端末の識別子、指紋、静脈及び顔の少なくとも１以上の認証が必要となっている。このため、タバコや酒等の年齢制限のある商品を未成年者が購入することをより効果的に抑制することができセキュリティ性を高めることができる。また、購入決済を行った際のユーザ端末の位置情報と合わせて使用することで、セキュリティ性をさらに高めることができる。
【００６１】
（その他の実施形態）
本発明は、上記第１の実施形態から第４の実施形態に限定されるものではなく、適宜変更が可能である。例えば、上記第１の実施形態から第４の実施形態では、商品収容装置３が第４記憶部３０２と、第１判定部３０３と、商品引渡部３０４とを備えているが、これらの機能をサーバ１が備えるようにしてもよい。
【００６２】
すなわち、サーバ１が、商品の情報が記憶される第１記憶部１０２と、ユーザ端末２からの第１記憶部１０２に記憶される商品の購入決済を受付ける決済受付部１０３と、決済完了後に決済完了情報を通知する決済完了通知部１０４と、ユーザ端末２から決済完了情報を取得し、該取得した前記ユーザ端末の決済完了情報が、第４記憶部に記憶される決済完了情報と一致するか否かを判定する第１判定部３０３と、一致すると判定される場合に決済完了情報に対応する商品を引渡す商品引渡部３０４とを有し、商品収容装置３が、サーバ１の第１記憶部１０２に記憶されている商品の情報に対応する商品が収容される商品収容部３１を有する構成としてもよい。また、上記第１の実施形態から第４の実施形態の構成を適宜組み合わせるようにしてもよい。
【産業上の利用可能性】
【００６３】
上記のように、本発明は、セキュリティを担保でき、かつ利便性の高い無人商品引渡システム及び無人商品引渡方法を提供することができるので、年齢制限がある酒類やタバコの販売に特に好適である。
【符号の説明】
【００６４】
１  サーバ
１０１  送受信部
１０２  第１記憶部
１０３  決済受付部
１０４  決済完了通知部
１０５  第２判定部
１０６  第３判定部
１０７  制御部
２  ユーザ端末
２０１  送受信部
２０２  第２記憶部
２０３  操作受付部
２０４  第３記憶部
２０５  表示部
２０６  位置情報出力部
２０７  タイマ（時刻出力部）
２０８  制御部
３  商品収容装置
３１  商品収容部
３１Ａ  収容室
３２  取得装置
３３  認証装置
３０１  送受信部
３０２  第４記憶部
３０３  第１判定部
３０４  商品引渡部
３０５  制御部
Ｒ  特定のスペース
Ｄ  ドア
【図１】
2018013996.tif 000003
【図２】
2018013996.tif 000004
【図３】
2018013996.tif 000005
【図４】
2018013996.tif 000006
【図５】
2018013996.tif 000007
【図６】
2018013996.tif 000008
【図７】
2018013996.tif 000009
【図８】
2018013996.tif 000010
【図９】
2018013996.tif 000011
【図１０】
2018013996.tif 000012
【図１１】
2018013996.tif 000013